(57)【要約】【課題】識別データのデータ量を低減できる情報通知方法、移動通信システム、基地局および移動局を提供する。【解決手段】相関関係を有するTBSサイズ、変調方式、マルチコード数を、これらの情報よりもデータ量の少ない識別データに変換して伝送することにより、通信相手に前記情報を通知する情報通知方法、移動通信システム、基地局および移動局であって、チャネラーゼーション符号セットを識別する識別コード、変調方式を識別する識別コード、マルチコード数および変調パターン識別情報(TFRC)の組み合わせを対応するコードに変換することによって得られた識別コードを組み合わせて用いることによってTBSサイズを識別する。よってTBSサイズ識別のためのデータ量を減らすことができる。【選択図】図５
2006101534.tif 000002
【特許請求の範囲】
【請求項１】
識別コードによりトランスポートブロックセットサイズが基地局から移動局へ通知され複数のチャネライゼーション符号を用いて前記基地局と移動局との間で通信を行う符号分割多元接続方式に基づく移動通信システムにおける情報通知方法であって、
前記基地局が、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを送信するステップを備え、
前記１の移動局が、
上記第１の識別コードと第２の識別コードと第３の識別コードとを受信するステップと、
前記第１の識別コードと第２の識別コードと第３の識別コードの組合せと前記トランスポートブロックセットサイズとの関係を示すテーブルに基づき、前記受信ステップで受信された前記第１の識別コードと第２の識別コードと第３の識別コードとの組合せにより前記トランスポートブロックセットサイズを識別するステップとを備え、
前記第３の識別コードは該第３の識別コードのシグナリング用に割り当てられたビットをまとめて使用することにより表現されるとともに、
前記トランスポートブロックセットサイズは、第１のトランスポートブロックセットサイズ群または、該第１のトランスポートブロックセットサイズ群とは異なる第２のトランスポートブロックセットサイズ群に属し、
前記第１のトランスポートブロックセットサイズ群に含まれるトランスポートブロックセットサイズ同士の差は所定数の整数倍であり、
前記第２のトランスポートブロックセットサイズ群に含まれるトランスポートブロックセットサイズ同士の差の少なくとも一部は前記所定数の整数倍とは異なる
ことを特徴とする情報通知方法。
【請求項２】
前記チャネライゼーション符号の数であるマルチコード数が１個の場合、前記第１のトランスポートブロックセットサイズ群に含まれるトランスポートブロックセットサイズは、同じ量で増加する事を特徴とする請求項１項記載の情報通知方法。
【請求項３】
前記第３の識別コードのシグナリング用に割り当てられたビットは６ビットであり、前記ビットをまとめて使用することによって表現される連続する数値は６４個であることを特徴とする請求項１記載の情報通知方法。
【請求項４】
前記基地局が、
前記移動局に送信する情報データの所定データ量毎にＣＲＣを付加するステップを備え、
前記トランスポートブロックセットサイズは、前記所定データ量のサイズである
ことを特徴とする請求項１記載の情報通知方法。
【請求項５】
識別コードによりトランスポートブロックセットサイズが基地局から移動局へ通知され複数複数のチャネライゼーション符号を用いて前記基地局と移動局との間で通信を行う符号分割多元接続方式に基づく移動通信システムであって、
前記基地局が、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを送信する送信する装置を備え、
前記１の移動局が、
上記第１の識別コードと第２の識別コードと第３の識別コードとを受信する装置と、
前記第１の識別コードと第２の識別コードと第３の識別コードの組合せと前記トランスポートブロックセットサイズとの関係を示すテーブルに基づき、前記受信装置により受信された前記第１の識別コードと第２の識別コードと第３の識別コードとの組合せにより前記トランスポートブロックセットサイズ識別する装置とを備え、
前記第３の識別コードは該第３の識別コードのシグナリング用に割り当てられたビットをまとめて使用することにより表現されるとともに、
前記トランスポートブロックセットサイズは、第１のトランスポートブロックセットサイズ群または、該第１のトランスポートブロックセットサイズ群とは異なる第２のトランスポートブロックセットサイズ群に属し、
前記第１のトランスポートブロックセットサイズ群に含まれるトランスポートブロックセットサイズ同士の差は所定数の整数倍であり、
前記第２のトランスポートブロックセットサイズ群に含まれるトランスポートブロックセットサイズ同士の差の少なくとも一部は前記所定数の整数倍とは異なる
ことを特徴とする移動通信システム。
【請求項６】
前記チャネライゼーション符号の数であるマルチコード数が１個の場合、前記第１のトランスポートブロックセットサイズ群に含まれるトランスポートブロックセットサイズは、同じ量で増加する事を特徴とする請求項５記載の移動通信システム。
【請求項７】
前記第３の識別コードのシグナリング用に割り当てられたビットは６ビットであり、前記ビット数をまとめて使用することによって表現される連続する数値は６４個であることを特徴とする請求項５記載の移動通信システム。
【請求項８】
前記基地局は、
前記移動局に送信する情報データの所定データ量毎にＣＲＣを付加するＣＲＣ付加装置を備え、
前記トランスポートブロックセットサイズは、前記所定データ量のサイズである
ことを特徴とする請求項５記載の移動通信システム。
【請求項９】
識別コードによりトランスポートブロックセットサイズを移動局に通知し複数のチャネライゼーション符号を用いて通信を行う符号分割多元接続方式に基づく基地局における情報通知方法であって、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを、
上記１の移動局であって、前記第１の識別コードと第２の識別コードと第３の識別コードの組合せと前記トランスポートブロックセットサイズとの関係を示すテーブルに基づき、前記第１の識別コードと第２の識別コードと第３の識別コードとの組合せにより前記トランスポートブロックセットサイズを識別する移動局、
に送信するステップを備え、
前記第３の識別コードは該第３の識別コードのシグナリング用に割り当てられたビットをまとめて使用することにより表現されるとともに、
前記トランスポートブロックセットサイズは、第１のトランスポートブロックセットサイズ群または、該第１のトランスポートブロックセットサイズ群とは異なる第２のトランスポートブロックセットサイズ群に属し、
前記第１のトランスポートブロックセットサイズ群に含まれるトランスポートブロックセットサイズ同士の差は所定数の整数倍であり、
前記第２のトランスポートブロックセットサイズ群に含まれるトランスポートブロックセットサイズ同士の差の少なくとも一部は前記所定数の整数倍とは異なる
ことを特徴とする情報通知方法。
【請求項１０】
前記チャネライゼーション符号の数であるマルチコード数が１個の場合、前記第１のトランスポートブロックセットサイズ群に含まれるトランスポートブロックセットサイズは、同じ量で増加する事を特徴とする請求項９記載の情報通知方法。
【請求項１１】
前記第３の識別コードのシグナリング用に割り当てられたビットは６ビットであり、前記ビットをまとめて使用することによって表現される連続する数値は６４個であることを特徴とする請求項９記載の情報通知方法。
【請求項１２】
所定データ量毎にＣＲＣを付加するステップを備え、
前記トランスポートブロックセットサイズは、前記所定データ量のサイズであることを特徴とする請求項９記載の情報通知方法。
【請求項１３】
識別コードによりトランスポートブロックセットサイズを移動局に通知し複数のチャネライゼーション符号を用いて通信を行う符号分割多元接続方式に基づく基地局であって、
１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを、
上記１の移動局であって、前記第１の識別コードと第２の識別コードと第３の識別コードの組合せと前記トランスポートブロックセットサイズとの関係を示すテーブルに基づき、前記第１の識別コードと第２の識別コードと第３の識別コードとの組合せにより前記トランスポートブロックセットサイズを識別する移動局、
に送信する装置を備え、
前記第３の識別コードは該第３の識別コードのシグナリング用に割り当てられたビットをまとめて使用することにより表現されるとともに、
前記トランスポートブロックセットサイズは、第１のトランスポートブロックセットサイズ群または、該第１のトランスポートブロックセットサイズ群とは異なる第２のトランスポートブロックセットサイズ群に属し、
前記第１のトランスポートブロックセットサイズ群に含まれるトランスポートブロックセットサイズ同士の差は所定数の整数倍であり、
前記第２のトランスポートブロックセットサイズ群に含まれるトランスポートブロックセットサイズ同士の差の少なくとも一部は前記所定数の整数倍とは異なる
ことを特徴とする基地局。
【請求項１４】
前記チャネライゼーション符号の数であるマルチコード数が１個の場合、前記第１のトランスポートブロックセットサイズ群に含まれるトランスポートブロックセットサイズは、同じ量で増加する事を特徴とする請求項１３記載の基地局。
【請求項１５】
前記第３の識別コードのシグナリング用に割り当てられたビットは６ビットであり、前記ビットをまとめて使用することによって表現される連続する数値は６４個であることを特徴とする請求項１３記載の基地局。
【請求項１６】
所定データ量毎にＣＲＣを付加するＣＲＣ付加装置を備え、
前記トランスポートブロックセットサイズは、前記所定データ量のサイズであることを特徴とする請求項１３記載の基地局。
【発明の詳細な説明】
【技術分野】
【０００１】
本発明は、情報をデータ量の少ない識別データに変換して伝送することで通信相手に情報を通知する情報通知方法、移動通信システム、基地局および移動局に関するものである。
【背景技術】
【０００２】
移動通信システムにおける下り方向伝送、すなわち、基地局から移動局に向かう方向のデータ伝送には、大量のデータを高速にダウンロードするためのHSDPA（High Speed Downlink Packet Access；高速下りパケット伝送）と呼ばれる技術が使われる。3GPP（3rd Generation Partnership Project）では、HSDPAにつき、移動局の受信品質に応じて変調方式やTurbo符号化レートを変更することが検討されている。この場合、使用する変調方式やTurbo符号化レートを基地局から移動局に通知する必要がある。特に、変調方式やTurbo符号化レートを適応的に変更するAMC（適応変調符号化）方式では、これらの変調符号化方式に関する情報を頻繁に基地局から移動局に通知（シグナリング）しなければならない。
【０００３】
非特許文献１には、このシグナリングに関する記述がある。まず、上記変調符号化方式に関する情報に相当するものとして、TFRC(Transport-Format and Resource Combination)がある。
【０００４】
図１は、非特許文献１に記載されるTFRCリストの一例を示す図である。このリストは、非特許文献１の上りシグナリングを説明する箇所に記載されるものであるが、下りシグナリングで基地局から移動局に通知される変調符号化方式に関する情報と実質同じものを示している。このリストには、変調方式、トランスポートブロックセット(TBS)サイズ及び符号数の組合せが示されている。ここでは、変調方式として、QPSK(Quadrature Phase Sift Keying)および16QAM(Quadrature Amplitude Modulation)のいずれかのデジタル変調方式が使用される。TBSサイズは、１フレームに含まれるトランスポートブロック(TrBlk)のデータサイズにその個数を乗算したもの、すなわち１フレーム分のデータサイズそのものである。このTBSサイズは、Turbo符号化レートに関係するパラメータであり、変調符号化方式に関する情報の一種である。また、ここでは拡散符号の一種であるチャネライゼーション符号を複数まとめて１つの移動局に割当てるマルチコード方式を想定しており、リスト中のマルチコード数はマルチコードの符号数（図では全て符号数＝５）を示している。
【０００５】
例えば、TFRC(1)の場合、変調方式＝QPSK、TBSサイズ＝1200bit、符号数＝5であり、TFRC(6)の場合、変調方式＝16QAM、TBSサイズ＝7200bit、符号数＝5である。なお、図１１のリストには記載されていないが、拡散率SF(Spreading Factor)=16、１フレーム=2msと仮定した場合、１フレーム当りのデータ量は、変調方式＝QPSKのときに4800ビットであり、変調方式＝16QAMのときに9600ビットとなり、Turbo符号化レートは、TFRC(1)で1/4、TFRC(2)で1/2、TFRC(3)で3/4、TFRC(4)で1/2、TFRC(5)で5/8、TFRC(6)で3/4となる。
【０００６】
上記の変調符号化方式に関する情報（非特許文献１ではTFRC）を基地局から移動局へ通知するためには、この情報データをそのまま伝送するわけではなく、データ量の少ない識別データに変換して伝送する。この識別データは、非特許文献１のTFRI(Transport-Format and Resource related Information)に相当する。TFRIのデータ量が非特許文献１で次のように規定されている。
・チャネライゼーション符号セット：７ビット
・変調方式：１ビット
・トランスポートブロックセットサイズ：６ビット
チャネライゼーション符号セットとは、マルチコード方式において１つの移動局に割当てられた複数のチャネライゼーション符号の組合せのことである。本来ならばTFRCを示す図１でも、符号数のみならず、チャネライゼーション符号セットを表示すべきであるが、図１は符号数を５個に固定した特別な場合を例示するものであり、符号数のみを示している。
【０００７】
【非特許文献１】3GPP TR(Technical Report)25.858V1.0.0 "8 Associated Signaling"
【発明の開示】
【発明が解決しようとする課題】
【０００８】
このように、変調符号化方式に関する情報を識別データに変換して伝送する情報通知方法によって、基地局と移動局との間のトラフィックを低減している。
上記識別データのデータ量が少ない程、トラフィックを低減できるため望ましく、更にデータ量の少ない識別データが求められている。
【０００９】
本発明の目的は、識別データのデータ量を低減できる情報通知方法、移動通信システム、基地局および移動局を提供することである。
【課題を解決するための手段】
【００１０】
この発明に係る情報通知方法は、識別コードによりトランスポートブロックセットサイズが基地局から移動局へ通知され複数のチャネライゼーション符号を用いて前記基地局と移動局との間で通信を行う符号分割多元接続方式に基づく移動通信システムにおける情報通知方法であって、前記基地局が、１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを送信するステップを備え、前記１の移動局が、上記第１の識別コードと第２の識別コードと第３の識別コードとを受信するステップと、前記第１の識別コードと第２の識別コードと第３の識別コードの組合せと前記トランスポートブロックセットサイズとの関係を示すテーブルに基づき、前記受信ステップで受信された前記第１の識別コードと第２の識別コードと第３の識別コードとの組合せにより前記トランスポートブロックセットサイズを識別するステップとを備え、前記第３の識別コードは該第３の識別コードのシグナリング用に割り当てられたビットをまとめて使用することにより表現されるとともに、前記トランスポートブロックセットサイズは、第１のトランスポートブロックセットサイズ群または、該第１のトランスポートブロックセットサイズ群とは異なる第２のトランスポートブロックセットサイズ群に属し、前記第１のトランスポートブロックセットサイズ群に含まれるトランスポートブロックセットサイズ同士の差は所定数の整数倍であり、前記第２のトランスポートブロックセットサイズ群に含まれるトランスポートブロックセットサイズ同士の差の少なくとも一部は前記所定数の整数倍とは異なるものである。
【発明の効果】
【００１１】
この発明によれば、識別コードによりトランスポートブロックセットサイズが基地局から移動局へ通知され複数のチャネライゼーション符号を用いて前記基地局と移動局との間で通信を行う符号分割多元接続方式に基づく移動通信システムにおける情報通知方法であって、前記基地局が、１の移動局に割り当てられた前記チャネライゼーション符号の数であるマルチコード数を示すとともに前記トランスポートブロックセットサイズの識別にも用いられる第１の識別コードと、前記符号分割多元接続に用いられる変調方式を示すとともに前記トランスポートブロックセットサイズの識別にも用いられる第２の識別コードと、前記第１の識別コードと第２の識別コードとの一の組合せに複数種が対応し前記第１の識別コードと第２の識別コードと組合せられることにより前記トランスポートブロックセットサイズを特定する第３の識別コードとを送信するステップを備え、前記１の移動局が、上記第１の識別コードと第２の識別コードと第３の識別コードとを受信するステップと、前記第１の識別コードと第２の識別コードと第３の識別コードの組合せと前記トランスポートブロックセットサイズとの関係を示すテーブルに基づき、前記受信ステップで受信された前記第１の識別コードと第２の識別コードと第３の識別コードとの組合せにより前記トランスポートブロックセットサイズを識別するステップとを備え、前記第３の識別コードは該第３の識別コードのシグナリング用に割り当てられたビットをまとめて使用することにより表現されるとともに、前記トランスポートブロックセットサイズは、第１のトランスポートブロックセットサイズ群または、該第１のトランスポートブロックセットサイズ群とは異なる第２のトランスポートブロックセットサイズ群に属し、前記第１のトランスポートブロックセットサイズ群に含まれるトランスポートブロックセットサイズ同士の差は所定数の整数倍であり、前記第２のトランスポートブロックセットサイズ群に含まれるトランスポートブロックセットサイズ同士の差の少なくとも一部は前記所定数の整数倍とは異なるように構成したので、１の種類の情報用の識別コードのデータ量を低減することができる。したがって、情報通知のために伝送する信号の量を低減できる。或いは、低減したデータ量分だけ冗長度の高い符号化を採用することにより、情報通知の信頼性を向上することができる。
【発明を実施するための最良の形態】
【００１２】
以下、この発明をより詳細に説明するために、この発明を実施するための最良の形態について、添付の図面にしたがって説明する。
実施の形態１．
図２は、本発明の実施の形態１に係る移動通信システムの構成を示す図である。移動通信システムは、移動局１１、基地局１２および基地局制御装置１３から構成される。移動局１１は、ユーザによって携帯され、移動しながら基地局１２との間で無線通信を行うことが可能な端末である。基地局１２は、特定の場所に設置される装置であって、複数の移動局１１との間で同時に無線通信を行うことが可能である。また、基地局１２は、有線伝送路を介して上位装置である基地局制御装置１３に接続されており、基地局１２が移動局１１を有線通信回線に接続する役割を担っている。基地局制御装置１３は、複数の基地局１２に接続され、基地局１２に関する各種制御を行うとともに、移動局１１を基地局１２経由で公衆回線網（不図示）に回線接続する。
【００１３】
図２の移動通信システムでは、移動局１１から発信された信号が、基地局１２、基地局制御装置１３および公衆回線網をこの順に経由して通信相手まで伝送される。逆に、通信相手から発信された信号は、公衆回線網、基地局制御装置１３および基地局１２をこの順に経由して移動局１１まで伝送される。
【００１４】
図３は、図２の基地局の構成を示すブロック図である。図３では、基地局のうち送信側の構成のみが図示される。基地局は、トランスポートブロック合成部２１、チャネルコーディング部２２、物理チャネル分割部２３、インターリーブ部２４、マッピング部２５、拡散変調部２６、乗算器２７、多重化部２８、送信部２９、アンテナ３０、リソース管理部３１および情報通知部３２を備えている。このうち、チャネルコーディング部２２はターボ符号化部３６およびレートマッチング部３７を備えている。
【００１５】
次に基地局の動作を説明する。
基地局制御装置１３から送られてきたデータは、固定長のトランスポートブロックとして基地局１２のトランスポートブロック合成部２１に入力される。トランスポートブロック合成部２１には、リソース管理部３１から指示されたTBSサイズに応じた数、すなわちTBSサイズをトランスポートブロック長で除算して得られた数のトランスポートブロックを組合せてTBSを生成する。TBSは、チャネルコーディング部２２の処理単位である。トランスポートブロック合成部２１から出力されたTBSは、ターボ符号化部３６に入力されてターボ符号化処理が施され、続いてレートマッチング部３７において所定長のデータに調整される。このとき、ターボ符号化部３６とレートマッチング部３７とから成るチャネルコーディング部２２は、リソース管理部３１から指示された符号化レートに基づいて、出力データが所定長になるよう調整する。
【００１６】
レートマッチング部３７から出力されたTBSは、物理チャネル分割部２３において物理チャネル毎の所定長のデータに分割され、続いて、インターリーブ部２４においてインターリーブ処理を受け、マッピング部２５に入力される。マッピング部２５では、リソース管理部３１から指示されたデジタル変調方式（QPSKまたは16QAM）を用いて、インターリーブ部２４から出力されたデータが変調される。拡散変調部２６では、リソース管理部３１から指示された識別番号（１，２，…，Ｍ）に対応したチャネライゼーション符号を用いて、マッピング部２５から出力されたデータにそれぞれ拡散変調を施す。乗算器２７では、拡散変調部２６から出力されたデータにそれぞれゲイン（Ｇ）が乗算される。多重化部２８では、乗算器２７から出力されたデータ、パイロットチャネルの１種であるCPICH(Common Pilot Channel)のデータおよび他チャネルのデータが多重化される。多重化部２８から出力されたデータは、送信部２９において無線周波数の信号に変換され、続いて、アンテナ３０から対向する移動局１１に向けて無線送信される。
【００１７】
なお、リソース管理部３１は、通信相手である複数の移動局１１との通信で使用する変調符号化方式に関する情報を一括管理しており、通信環境に応じて変化する変調符号化方式に対応した情報を各部に指示する。また、リソース管理部３１で管理されている変調符号化方式に関する情報は、情報通知部３２においてそれぞれデータ量の少ない識別データに変換され、他チャネルを通じて移動局１１に伝送される。識別データはチャネライゼーション符号セットを示す第１の識別コード、変調方式を示す第２の識別コード、並びにTBSサイズに対応した第３の識別コードを含んで成る。第１の識別コードは、チャネライゼーション符号セットを、対応するコードに変換して得たものである。第２の識別コードは、変調方式を、対応するコードに変換して得たものである。第３の識別コードは、マルチコード数と変調パターンを識別する情報(TFRC)との組み合わせを、対応するコードに変換して得たものである。
【００１８】
図４は、図２の基地局における送信データの変形過程を例示する図である。まずステップＳ１では、データ長がそれぞれ２４０ビットである１０個のトランスポートブロックが合成されて、２４００ビットのTBSが生成される（トランスポートブロック合成部２１）。次にステップＳ２では、２４００ビットのTBSに２４ビットＣＲＣビットが付加される。これは、図３のチャネルコーディング部２２において、ターボ符号化の前過程として行われる処理である。次にステップＳ３では、符号化レートR=1/3のターボ符号化が施され、データ長が３倍の７２７２ビットとなる（ターボ符号化部３６）。次にステップＳ４では、レートマッチング処理によりデータ長が４８００ビットに調整される（レートマッチング部３７）。次にステップＳ５では、５つの物理チャネル毎に９６０ビットのデータに分割される（物理チャネル分割部２３）。次にステップＳ６では、物理チャネル毎にインターリーブ処理が施され、データ長に変化はない（インターリーブ部２４）。この図４の例は、チップレート3.84Mcps、拡散率SF=16、１フレームあたり2ms、変調方式=QPSK変調におけるものを示している。この場合の符号化レートRは、R=2424/4800≒1/2である。
【００１９】
図５は、図２の移動局の構成を示すブロック図である。図５では、移動局の受信側の構成のみを図示している。移動局は、アンテナ４１、受信部４２、逆拡散部４３、デマッピング部４４、デインターリーブ部４５、物理チャネル合成部４６、チャネルデコーディング部４７、トランスポートブロック分割部４８および変換部４９を備えている。チャネルデコーディング部４７は、レートデマッチング部５１およびターボ復号部５２を備えている。変換部４９は、変換テーブル５３，５４，５５および変換式５６を有している。
【００２０】
次に移動局の動作を説明する。
対向する基地局１２から到来した無線信号は、アンテナ４１で受信された後、受信部４２において無線周波数からベースバンドに周波数変換される。逆拡散部４３では、変換部４９から指示された識別番号に対応する複数のチャネライゼーション符号を用いて、受信部４２から出力されたデータに逆拡散処理が施される。この逆拡散処理によって、物理チャネル毎にシンボル系列が復元される。逆拡散部４３から出力されたシンボル系列に対し、デマッピング部４４では、変換部４９から指示されたデジタル変調方式を用いて、復調処理が行われる。続いて、デインターリーブ部４５でデインターリーブ処理が施され、物理チャネル合成部４６において各物理チャネルのデータが合成され、TBSが復元される。
【００２１】
次に、レートデマッチング部５１においてレートデマッチング、ターボ復号部５２においてターボ復号が行われる。このとき、レートデマッチング部５１およびターボ復号部５２から成るチャネルデコーディング部４７は、出力データ長が変換部４９から指示された符号化レートに応じたデータ長となるように調整する。トランスポートブロック分割部４８では、ターボ復号部５２から出力されたTBSが、変換部４９から指示された数のトランスポートブロックに分割され、他の処理ブロックへ送られる。
【００２２】
なお、基地局１２の情報通知部３２から伝送されてきた識別データは、物理チャネル以外の他チャネルを介して受信されて変換部４９に入力される。変換部４９に入力された識別データは、変換部４９が保有する変換テーブル５３〜５５および変換式５６によって変調符号化方式に関する情報に変換され、各部に指示される。変換テーブル５３は、チャネライゼーション符号セットを示す識別コードから、複数のチャネライゼーション符号の識別番号（１，２，…，Ｍ）に変換するためのテーブルである。チャネライゼーション符号セットは同一の初期値、同一のマルチコード数によって特徴付けられるチャネライゼーション符号のグループである。変換テーブル５３は図６〜図８に示すものである（詳細は後述）。変換テーブル５４は、変調方式（QPSK/16QAM）を示す識別コードから、QPSKまたは16QAMのいずれかのデジタル変調方式を示すデータに変換するためのテーブルであり、図９に示すものである（詳細は後述）。変換テーブル５５は、TBSサイズ、マルチコード数および変調方式を示す識別データから、トランスポートブロックセットに含まれるトランスポートブロックの数を算出する変換テーブルであり、図１０〜図１２の一部（図１０〜図１２そのものが変換テーブルであるわけではない）に示すものである。変換式５６は、TBSサイズおよび変調方式の識別データから符号化レートを算出する変換式であり、詳細は後述する。また、ここでは識別データから情報への変換を説明するが、この変換の逆変換が、基地局１２の情報通知部３２において行われる。
【００２３】
図６〜図８は、チャネライゼーション符号セットに関する変換テーブルを示す図である。ここでは、拡散率SF(Spreading Factor)=16を想定しており、全符号数は16個となる。SF=16のチャネライゼーション符号をCch(16,k)と表記し（k=0〜15：識別番号）、この16個の符号のうち、複数のチャネライゼーション符号を１つの移動局に割当てて使用する場合、先頭のチャネライゼーション符号から順に連続した識別番号kのチャネライゼーション符号を割当てるものとする。また、ここでは識別番号k=0のチャネライゼーション符号は、CPICH(共通パイロットチャネル)その他に用いるため、移動局に割当てないものとする。図６〜図８において、初期値とは上記先頭のチャネライゼーション符号を示し、マルチコード数とは１つの移動局に割当てるチャネライゼーション符号の数である。このように、図６〜図８では、チャネライゼーション符号セットを初期値とマルチコード数とによって表し、これと識別コードとの対応関係を示している。対応関係は下記に示すものである。
【００２４】
初期値Cch(16,1)、マルチコード数１〜１５  ⇔  識別コード０〜１４
初期値Cch(16,2)、マルチコード数１〜１４  ⇔  識別コード１５〜２８
初期値Cch(16,3)、マルチコード数１〜１３  ⇔  識別コード２９〜４１
初期値Cch(16,4)、マルチコード数１〜１２  ⇔  識別コード４２〜５３
初期値Cch(16,5)、マルチコード数１〜１１  ⇔  識別コード５４〜６４
初期値Cch(16,6)、マルチコード数１〜１０  ⇔  識別コード６５〜７４
初期値Cch(16,7)、マルチコード数１〜９  ⇔  識別コード７５〜８３
初期値Cch(16,8)、マルチコード数１〜８  ⇔  識別コード８４〜９１
初期値Cch(16,9)、マルチコード数１〜７  ⇔  識別コード９２〜９８
初期値Cch(16,10)、マルチコード数１〜６  ⇔  識別コード９９〜１０４
初期値Cch(16,11)、マルチコード数１〜５  ⇔  識別コード１０５〜１０９
初期値Cch(16,12)、マルチコード数１〜４  ⇔  識別コード１１０〜１１３
初期値Cch(16,13)、マルチコード数１〜３  ⇔  識別コード１１４〜１１６
初期値Cch(16,14)、マルチコード数１、２  ⇔  識別コード１１７〜１１８
初期値Cch(16,15)、マルチコード数１  ⇔  識別コード１１９
【００２５】
このように、チャネライゼーション符号セットの識別コードとしては、１２０通りあればよい。ただし、ここでの識別コードは１０進数で表記している。これに対し、図５に記載されるチャネライゼーション符号セットの識別コードは、２進数で７ビットの0000000-1111111と表記される。このことは、非特許文献１に記載されている、チャネライゼーション符号セットのシグナリングを７ビットで行う規定に合致する。
【００２６】
図９は、変調方式に関する変換テーブルを示す図である。ここでは、変調方式としてQPSKおよび16QAMのいずれかを使用することを想定している。QPSKの識別コードは０であり、16QAMの識別コードは１である。このように、変調方式の識別コードとしては、２通り（１ビット）あればよい。このことは、非特許文献１に記載されている変調方式のシグナリングを１ビットで行う規定に合致する。
【００２７】
図１０〜図１２は、TBSサイズの変換を示す図である。これらは、非特許文献１に記載される図１を拡張したものである。図１に比べ、図１０〜図１２では、トランスポートブロック(TrBlk)サイズ、トランスポートブロック(TrBlk)数および識別コードの項目が付加されている。TrBlkサイズは、トランスポートブロックのサイズであり、固定長の２４０ビットである。TrBlk数は、１つのTBSに含まれるTrBlkの数であり、TBSを分割するときの分割数でもある。また、図１ではマルチコード数＝５のみが記載されていたが、図１０〜図１２ではマルチコード数＝１〜１５について記載されている。TFRC(x,y)は、マルチコード数＝ｙのときのTFRCを表している。たとえば、TFRC(x,5)は、図１のTFRC(x)に相当する。識別コードについては、参考例のものと本実施形態のものとを記載している。
【００２８】
参考例では、全部で９０のTFRC（図１０〜図１２）のうちあるTFRCについては、識別コードを表す１０進数の数字とTrBlk数を表す１０進数の数字とが一致するようにしている。この場合、TrBlkサイズを乗算するだけでTBSサイズが得られ利便性が高いが、１〜９０（７ビット）の識別コードが必要であり、TBSサイズのシグナリングを６ビットで行う非特許文献１の規定よりも多くのデータ量が必要となる。ただし、９０通りのTFRCには、TrBlk数あるいはTBSサイズが一致するものがあり、識別コードとしては５０通り（６ビット）あればよい。したがって、参考例の識別コード１〜９０を、複数ある同一TBSサイズの組み合わせに対しては必ず同じ識別コードが与えられるように並べ換えた識別コード１〜５０を使用すれば、非特許文献１の規定に合致することとなる。
【００２９】
本実施形態では、全てのｙについて、TFRC(1,y)およびTFRC(4,y)の識別コードを１とし、TFRC(2,y)およびTFRC(5,y)の識別コードを２とし、TFRC(3,y)およびTFRC(6,y)の識別コードを３としている。このような識別コードは、単独では３通りを識別するのみであり、様々なTBSサイズを全て識別することはできないが、他の識別コードと組合わせることによって、識別可能となるものである。変調方式については、２通りの識別コードが図９に記載された変換テーブルから容易に把握できる。また、マルチコード数についても、１５通りの識別コードが図６〜図８の変換テーブルから把握できる。たとえば、図６〜図８の識別コードのうち、特定の識別コード０，１５，２９，４２，５４，６５，７５，８４，９２，９９，１０５，１１０，１１４，１１７，１１９は、マルチコード数＝１に対応する。したがって、これらを組合わせた識別コード群により、３×２×１５＝９０通りのTFRCを識別することができる。このように、TBSサイズに関する識別コードは１〜３（２ビット）のみとなるため、識別データのデータ量を大幅に低減することが可能である。
【００３０】
非特許文献１との関係でいえば、TBSサイズのシグナリング用に規定された６ビットを２ビットに減らすことができる。或いは、２ビット以外の４ビットを独立に使って、図１０〜図１２に示すTBSサイズ以外のTBSサイズ（たとえば、336、10000など）を伝送することもできる。また、６ビットをまとめて使用する場合、すなわち、シグナリングで用いている１〜３以外の値（０、４〜６３）を、図１０〜図１２に示すTBSサイズ以外のTBSサイズを伝送するために用いることもできる。
【００３１】
次に図５の変換式５６について説明する。
まず、レートマッチング後の１フレームのデータ長をLrm、変調方式の識別コードをModとしたとき、データ長Lrmは、
Lrm=960*(Mod+1)  …  （１）
と表される。変調方式がQPSKの場合はMod=0であるためLrm=960となり、変調方式が16QAMの場合はMod=1であるためLrm=1920となる。続いて、TBSサイズをSt、TBSサイズの識別コードをT、マルチコード数をMCとすると、TBSサイズStは、
St=(T+3*Mod)*MC*240  …  （２）
と表される。たとえば、TFRC(1,5)の場合、すなわちT=1、Mod=0、MC=5の場合、
St=(1+3*0)*5*240=1200
となり、TFRC(5,10)の場合、すなわちT=2、Mod=1、MC=10の場合、
St=(2+3*1)*10*240=12000
となる。続いて、符号化レートをRとすると、符号化レートRは、
R=St/(Lrm*MC)  …  （３）
と表され、式（１）および式（２）を式（３）に代入することによって、
R=(T+3*Mod)/4*(Mod+1)  …  （４）
が得られる。たとえば、TFRC(1,5)の場合、すなわちT=1、Mod=0の場合、
R=(1+3*0)/4*(0+1)=1/4=0.25
となり、TFRC(5,10)の場合、すなわちT=2、Mod=1の場合、
R=(2+3*1)/4*(1+1)=5/8=0.625
となる。上記の式（４）は、TBSサイズの識別コードTおよび変調方式の識別コードModから符号化レートRを算出するための変換式であり、図５の変換式５６に相当する。
【００３２】
以上のように、本実施形態では、チャネライゼーション符号セットを変換して得られた識別コード、変調方式を識別する識別コード、マルチコード数と変調パターン識別情報(TFRC)の組み合わせを対応するコードに変換することによって得られる識別コードを組み合わせて用いることによってTBSサイズを識別する。よって、TBSサイズを識別するためのデータ量を低減できる。或いは、低減したデータ量分だけ冗長度の高い符号化を採用することにより、情報通知の信頼性を向上することができる。
【００３３】
なお、上記ではマルチコード数と変調方式(TFRC)との両方を用いて、TBSサイズに対応する識別コードのデータ量を削減することを示したが、どちらか一方を用いてTBSサイズを識別するためのデータ量を削減しても良い。また、TBSサイズの識別コードを参考例と同じものとし、これと変調方式とを組合せることにより、チャネライゼーション符号セットの識別コードのデータ量を削減してもよい。
【００３４】
実施の形態２．
上記の実施の形態１では、TBSサイズに対応した識別コードからTBSサイズを知るのに変換テーブル５５を用いるものであったが、実施の形態２では、変換テーブル５５に代えて変換式を使用するものである。この変換式は、上記の式（２）である。式（２）は、TBSサイズの識別コードT、変調方式の識別コードModおよびマルチコード数MCからTBSサイズを復元するための変換式である。
【００３５】
以上のように、本実施形態では、変換テーブルを変換式で代用するため、変換テーブルを記憶しておく必要がなく、記憶容量を節約できる。特に、記憶容量に制限のある移動局において有効である。
【産業上の利用可能性】
【００３６】
以上のように、この発明に係る情報通知方法、移動通信システム、基地局および移動局は、トラフィックを低減するために識別データのデータ量を低減するのに適している。
【図面の簡単な説明】
【００３７】
【図１】非特許文献１のTFRCを示す図である。
【図２】本発明の実施の形態１における移動通信システムの構成を示すブロック図である。
【図３】図２の基地局の構成を示すブロック図である。
【図４】図２の基地局における送信データの変形過程を例示する図である。
【図５】図２の移動局の構成を示すブロック図である。
【図６】チャネライゼーション符号セットに関する変換テーブル(No.1)を示す図である。
【図７】チャネライゼーション符号セットに関する変換テーブル(No.2)を示す図である。
【図８】チャネライゼーション符号セットに関する変換テーブル(No.3)を示す図である。
【図９】変調方式に関する変換テーブルを示す図である。
【図１０】TBSサイズの変換(No.1)を示す図である。
【図１１】TBSサイズの変換(No.2)を示す図である。
【図１２】TBSサイズの変換(No.3)を示す図である。
【符号の説明】
【００３８】
１１  移動局、１２  基地局、１３  基地局制御装置、２１  トランスポートブロック合成部、２２  チャネルコーディング部、２３  物理チャネル分割部、２４  インターリーブ部、２５  マッピング部、２６  拡散変調部、２７  乗算器、２８  多重化部、２９  送信部、３０，４１  アンテナ、３１  リソース管理部、３２  情報通知部、３６  ターボ符号化部、３７  レートマッチング部、４２  受信部、４３  逆拡散部、４４  デマッピング部、４５  デインターリーブ部、４６  物理チャネル合成部、４７  チャネルデコーディング部、４８  トランスポートブロック分割部、４９  変換部、５１  レートデマッチング部、５２  ターボ復号部。
【図１】
2006101534.tif 000003
【図２】
2006101534.tif 000004
【図３】
2006101534.tif 000005
【図４】
2006101534.tif 000006
【図５】
2006101534.tif 000007
【図６】
2006101534.tif 000008
【図７】
2006101534.tif 000009
【図８】
2006101534.tif 000010
【図９】
2006101534.tif 000011
【図１０】
2006101534.tif 000012
【図１１】
2006101534.tif 000013
【図１２】
2006101534.tif 000014